(57)【要約】【課題】液晶表示部やキー入力部などに照光するバックライトや短距離通信部などが搭載されていても消費電力が低減される携帯ＰＯＳ装置を提供する。【解決手段】携帯ＰＯＳ装置１０では、輝度調整手段（たとえば、中央制御部１２）により、照光部（バックライトＢＬ）の輝度が、当該携帯ＰＯＳ装置１０の姿勢（向き）及びキー入力部の使用頻度に基づいて調整される（輝度調整処理）。この輝度調整処理では、輝度調整手段（中央制御部１２）により、照光部（バックライトＢＬ）の輝度を、当該携帯ＰＯＳ装置１０の姿勢がキー入力部の使用頻度が高い場合に対応するときに増加させる一方、当該携帯ＰＯＳ装置１０の姿勢が同キー入力部の使用頻度が低い場合に対応するときに減少させる。また、中央制御部１２により、短距離通信部１７の電源のオン／オフ状態が、携帯ＰＯＳ装置１０の姿勢に基づいて制御される（電源状態制御処理）。【選択図】図１
2010262608.tif 000002
【特許請求の範囲】
【請求項１】
液晶表示部と、キー入力部と、前記液晶表示部又は／及びキー入力部に対して照光するための照光部とを有する携帯ＰＯＳ装置であって、
前記照光部の輝度を、当該携帯ＰＯＳ装置の姿勢及び前記キー入力部の使用頻度に基づいて調整する輝度調整手段が設けられていることを特徴とする携帯ＰＯＳ装置。
【請求項２】
前記輝度調整手段は、
前記照光部の輝度を、当該携帯ＰＯＳ装置の姿勢が前記キー入力部の使用頻度が高い場合に対応するときに増加する一方、当該携帯ＰＯＳ装置の姿勢が前記キー入力部の使用頻度が低い場合に対応するときに減少する構成とされていることを特徴とする請求項１記載の携帯ＰＯＳ装置。
【請求項３】
前記輝度調整手段は、
当該携帯ＰＯＳ装置の姿勢を区画化して各姿勢の区画毎に設定された前記照光部の輝度情報をあらかじめ記憶する輝度情報記憶手段と、
当該携帯ＰＯＳ装置の姿勢を測定する姿勢測定手段と、
該姿勢測定手段で測定された当該携帯ＰＯＳ装置の現在の姿勢に対応する前記照光部の輝度情報を前記輝度情報記憶手段から読み出し、該輝度情報に基づいて該照光部の輝度を設定する制御手段とから構成されていることを特徴とする請求項１又は２記載の携帯ＰＯＳ装置。
【請求項４】
前記キー入力部の一定期間内の使用頻度及び当該携帯ＰＯＳ装置の姿勢毎に設定された前記キー入力部の使用頻度の閾値を管理する使用頻度情報管理手段が設けられ、
前記制御手段は、
前記使用頻度情報管理手段で管理されている前記キー入力部の一定期間内の使用頻度が前記使用頻度の閾値を超えたとき、前記輝度情報記憶手段に記憶されている輝度情報に対応する輝度を所定の最大値を上限として増加させる一方、前記閾値より小さいとき、前記輝度を所定の最小値を下限として減少させる構成とされていることを特徴とする請求項３記載の携帯ＰＯＳ装置。
【請求項５】
前記姿勢測定手段は、
当該携帯ＰＯＳ装置本体の互いに直交するＸ軸、Ｙ軸及びΖ軸方向の速度の変化を検出することにより姿勢を測定する構成とされていることを特徴とする請求項３又は４記載の携帯ＰＯＳ装置。
【請求項６】
短距離通信部を有する携帯ＰＯＳ装置であって、
前記短距離通信部の電源のオン／オフ状態を、当該携帯ＰＯＳ装置の姿勢に基づいて制御する電源状態制御手段が設けられていることを特徴とする携帯ＰＯＳ装置。
【請求項７】
前記短距離通信部は、
非接触型ＩＣカード又は該非接触型ＩＣカードと同等の機能を有する電子機器が所定の領域内に接近したときに無線接続されるＩＣカード処理装置であることを特徴とする請求項６記載の携帯ＰＯＳ装置。
【請求項８】
前記電源状態制御手段は、
当該携帯ＰＯＳ装置の姿勢を区画化して各姿勢の区画毎に設定された前記短距離通信部の電源のオン／オフ状態情報をあらかじめ記憶する電源情報記憶手段と、
当該携帯ＰＯＳ装置の姿勢を測定する姿勢測定手段と、
該姿勢測定手段で測定された当該携帯ＰＯＳ装置の現在の姿勢に対応する前記電源のオン／オフ状態情報を前記電源情報記憶手段から読み出し、該オン／オフ状態情報に基づいて前記短距離通信部の電源のオン／オフ状態を制御する制御手段とから構成されていることを特徴とする請求項６又は７記載の携帯ＰＯＳ装置。
【請求項９】
前記姿勢測定手段は、
当該携帯ＰＯＳ装置本体の互いに直交するＸ軸、Ｙ軸及びΖ軸方向の速度の変化を検出することにより姿勢を測定する構成とされていることを特徴とする請求項８記載の携帯ＰＯＳ装置。
【請求項１０】
液晶表示部と、キー入力部と、
前記液晶表示部又は／及びキー入力部に対して照光するための照光部とを有する携帯ＰＯＳ装置に用いられる消費電力制御方法であって、
輝度調整手段が、前記照光部の輝度を、当該携帯ＰＯＳ装置の姿勢及び前記キー入力部の使用頻度に基づいて調整する輝度調整処理を行うことを特徴とする消費電力制御方法。
【請求項１１】
前記輝度調整処理では、
前記輝度調整手段が、前記照光部の輝度を、当該携帯ＰＯＳ装置の姿勢が前記キー入力部の使用頻度が高い場合に対応するときに増加する一方、当該携帯ＰＯＳ装置の姿勢が前記キー入力部の使用頻度が低い場合に対応するときに減少することを特徴とする請求項１０記載の消費電力制御方法。
【請求項１２】
前記輝度調整処理では、
輝度情報記憶手段が、当該携帯ＰＯＳ装置の姿勢を区画化して各姿勢の区画毎に設定された前記照光部の輝度情報をあらかじめ記憶する輝度情報記憶処理と、
姿勢測定手段が、当該携帯ＰＯＳ装置の姿勢を測定する姿勢測定処理と、
制御手段が、前記姿勢測定手段で測定された当該携帯ＰＯＳ装置の現在の姿勢に対応する前記照光部の輝度情報を前記輝度情報記憶手段から読み出し、該輝度情報に基づいて該照光部の輝度を設定する制御処理とを行うことを特徴とする請求項９又は１０記載の消費電力制御方法。
【請求項１３】
前記キー入力部の一定期間内の使用頻度及び当該携帯ＰＯＳ装置の姿勢毎に設定された前記キー入力部の使用頻度の閾値を管理する使用頻度情報管理手段を設け、
前記制御手段が、前記使用頻度情報管理手段で管理されている前記キー入力部の一定期間内の使用頻度が前記使用頻度の閾値を超えたとき、前記輝度情報記憶手段に記憶されている輝度情報に対応する輝度を所定の最大値を上限として増加させる一方、前記閾値より小さいとき、前記輝度を所定の最小値を下限として減少させることを特徴とする請求項１２記載の消費電力制御方法。
【請求項１４】
前記姿勢測定手段が、当該携帯ＰＯＳ装置本体の互いに直交するＸ軸、Ｙ軸及びΖ軸方向の速度の変化を検出することにより姿勢を測定することを特徴とする請求項１２又は１３記載の消費電力制御方法。
【請求項１５】
短距離通信部を有する携帯ＰＯＳ装置に用いられる消費電力制御方法であって、
電源状態制御手段が、前記短距離通信部の電源のオン／オフ状態を、当該携帯ＰＯＳ装置の姿勢に基づいて制御する電源状態制御処理を行うことを特徴とする消費電力制御方法。
【請求項１６】
前記短距離通信部は、
非接触型ＩＣカード又は該非接触型ＩＣカードと同等の機能を有する電子機器が所定の領域内に接近したときに無線接続されるＩＣカード処理装置であることを特徴とする請求項１５記載の消費電力制御方法。
【請求項１７】
前記電源状態制御処理では、
電源情報記憶手段が、当該携帯ＰＯＳ装置の姿勢を区画化して各姿勢の区画毎に設定された前記短距離通信部の電源のオン／オフ状態情報をあらかじめ記憶する電源情報記憶処理と、
姿勢測定手段が、当該携帯ＰＯＳ装置の姿勢を測定する姿勢測定処理と、
制御手段が、前記姿勢測定手段で測定された当該携帯ＰＯＳ装置の現在の姿勢に対応する前記電源のオン／オフ状態情報を前記電源情報記憶手段から読み出し、該オン／オフ状態情報に基づいて前記短距離通信部の電源のオン／オフ状態を制御する制御処理とを行うことを特徴とする請求項１５又は１６記載の消費電力制御方法。
【請求項１８】
前記姿勢測定手段が、当該携帯ＰＯＳ装置本体の互いに直交するＸ軸、Ｙ軸及びΖ軸方向の速度の変化を検出することにより姿勢を測定することを特徴とする請求項１７記載の消費電力制御方法。
【請求項１９】
コンピュータに請求項１乃至９のいずれか一に記載の携帯ＰＯＳ装置を制御させるための消費電力制御プログラム。
【発明の詳細な説明】
【技術分野】
【０００１】
この発明は、携帯ＰＯＳ（point of sale 、販売時点情報管理）端末、該携帯ＰＯＳ装置に用いられる消費電力制御方法及び消費電力制御プログラムに係り、たとえば小売や物流などが行われる環境下で、特に携帯用としてバッテリで動作し、液晶パネルやキースイッチなどのバックライトや近距離通信部などが搭載される場合に適用して好適な携帯ＰＯＳ装置、該携帯ＰＯＳ装置に用いられる消費電力制御方法及び消費電力制御プログラムに関する。
【背景技術】
【０００２】
小売や物流などが行われる環境下で用いられる携帯ＰＯＳ装置では、バッテリによる稼動時間を伸ばすことが重要であり、細やかにデバイス電源を制御できるパワーマネージメント（management、管理）が必須である。特に、消費電力の大きい液晶パネルなどのバックライトや近距離通信部を、運用に支障がない範囲でオフ状態とすることが、省電力化に有効である。同装置の省電力化を行う場合、バックライトの輝度を暗くすることが有効である。この場合、一般に、入力操作がない時間が計測され、設定された時間が経過するとバックライトがオフ状態とされる一方、タッチパネルやボタンなどによる入力操作が検出されると、バックライトがオン状態とされる。ところが、ユーザが誤操作でタッチパネルに触れると、タッチパネルがオン状態とされ、また、画面を見る必要がない処理、たとえばバーコードを読み取るとき、音や振動で読込みの確認が行われ、ユーザが画面を見る必要のない処理でも、タッチパネルがオン状態となってしまうことがあり、省電力化に対して十分ではないという問題点がある。
【０００３】
この種の関連技術としては、たとえば、特許文献１に記載された携帯端末装置がある。  この携帯端末装置では、キー入力部のキー表面に、人体の接触を検出するキー接触検出手段が付加されることで、キー押下のために操作者の指がキーに触れた時点で、制御部がキー接触検出信号によりバックライトを点灯させ、キー入力部あるいは液晶表示部が照光されることにより、誤操作が防止される。これにより、暗い場所でキー入力する場合でも、バックライトが消灯していてキー入力部が識別できずに誤ったキーを入力するなどの誤操作が防止され、操作者が意識的な入力準備を必要としない。
【０００４】
また、特許文献２に記載された照明光源付き電子機器では、入力部から入力される情報が制御部で処理されて液晶表示部に表示される。照明部により、液晶表示部が照明される。入力操作検出部により、入力部における入力操作の有無が検出される。計時部により、時間が計時される。輝度制御部により、照明部の輝度が制御される。この場合、入力操作があると、輝度制御部により、所定時間にわたって輝度が徐々に増大する一方、入力操作がないと、輝度が徐々に減少する。これにより、液晶表示部の照明輝度がユーザに違和感なく変化すると共に、省エネルギーを図ることができる。
【０００５】
また、特許文献３に記載された携帯電話機では、液晶表示部を視認しやすい水平に置いた状態を同携帯電話機の基準角度と定めた場合、同携帯電話機が水平以外の状態から水平状態に変化し、基準角度に達したとき、傾斜センサは制御部にオン信号を出力する。同様に、携帯電話機が水平状態から水平以外の状態に変化し、基準角度ではなくなったとき、傾斜センサは制御部にオフ信号を出力する。制御部では、傾斜センサがオフ状態からオン状態に変化したことを検出すると、バックライト部を点灯し、液晶表示部の表示面を照明する。
【０００６】
また、特許文献４に記載された携帯端末装置は、省電力モードと、通常の電力供給を行う通常電力モードとを有し、オペレーティングシステムと、同オペレーティングシステムにより制御されるアプリケーションとを備えている。この携帯端末装置では、表示制御部により、表示部に画像が表示される。アプリケーション起動中に、センサにより、携帯端末装置の利用者が表示部の画面を見るために行った同携帯端末装置本体の物理的挙動が検出され、電源制御部により、同センサの検出出力に基づいて、省電力モードへの移行又は省電力モードからの復帰が制御される。これにより、アプリケーション起動中でも、省電力の効果を十分に発揮することができ、省電力モードからの復帰において誤操作をなくすことができる。
【先行技術文献】
【特許文献】
【０００７】
【特許文献１】特開２００１−０９４６５３号公報
【特許文献２】特開２００４−３５４７３６号公報
【特許文献３】特開２００６−０１４０５６号公報
【特許文献４】特開２００７−０８０２１９号公報
【発明の概要】
【発明が解決しようとする課題】
【０００８】
しかしながら、上記関連技術では、次のような課題があった。
すなわち、特許文献１に記載された携帯端末装置では、操作者が意識的な入力準備を必要としないが、ユーザが誤操作でキーに触れた場合には対応せず、上記の問題点は、改善されない。
【０００９】
特許文献２に記載された電子機器では、入力操作の有無に応じて、輝度制御部により、輝度が徐々に増大したり輝度が徐々に減少したりするが、特許文献１と同様に、ユーザが誤操作でキーに触れた場合には対応せず、上記の問題点は、改善されない。
【００１０】
特許文献３に記載された携帯電話機では、同携帯電話機の傾きを変えるという操作者の意図する動きを利用してバックライトを点灯させ、操作性の向上を図るようになっているが、この発明とは構成が異なり、上記の問題点は、改善されない。
【００１１】
特許文献４に記載された携帯端末装置では、アプリケーション起動中でも、省電力の効果があるが、ユーザが誤操作でキーに触れた場合には対応せず、上記の問題点は、改善されない。
【００１２】
この発明は、上述の事情に鑑みてなされたもので、液晶表示部やキー入力部などに照光するバックライトや近距離通信部などが搭載されていても、消費電力が低減される携帯ＰＯＳ装置、該携帯ＰＯＳ装置に用いられる消費電力制御方法及び消費電力制御プログラムを提供することを目的としている。
【課題を解決するための手段】
【００１３】
上記課題を解決するために、この発明の第１の構成は、液晶表示部と、キー入力部と、前記液晶表示部又は／及びキー入力部に対して照光するための照光部とを有する携帯ＰＯＳ装置に係り、前記照光部の輝度を、当該携帯ＰＯＳ装置の姿勢及び前記キー入力部の使用頻度に基づいて調整する輝度調整手段が設けられていることを特徴としている。前記輝度調整手段は、前記照光部の輝度を、当該携帯ＰＯＳ装置の姿勢が前記キー入力部の使用頻度が高い場合に対応するときに増加する一方、当該携帯ＰＯＳ装置の姿勢が前記キー入力部の使用頻度が低い場合に対応するときに減少する構成とされていることを特徴としている。
【００１４】
この発明の第２の構成は、短距離通信部を有する携帯ＰＯＳ装置に係り、前記短距離通信部の電源のオン／オフ状態を、当該携帯ＰＯＳ装置の姿勢に基づいて制御する電源状態制御手段が設けられていることを特徴としている。
【００１５】
この発明の第３の構成は、液晶表示部と、キー入力部と、前記液晶表示部又は／及びキー入力部に対して照光するための照光部とを有する携帯ＰＯＳ装置に用いられる消費電力制御方法に係り、輝度調整手段が、前記照光部の輝度を、当該携帯ＰＯＳ装置の姿勢及び前記キー入力部の使用頻度に基づいて調整する輝度調整処理を行うことを特徴としている。前記輝度調整処理では、前記輝度調整手段が、前記照光部の輝度を、当該携帯ＰＯＳ装置の姿勢が前記キー入力部の使用頻度が高い場合に対応するときに増加する一方、当該携帯ＰＯＳ装置の姿勢が前記キー入力部の使用頻度が低い場合に対応するときに減少することを特徴としている。
【００１６】
この発明の第４の構成は、短距離通信部を有する携帯ＰＯＳ装置に用いられる消費電力制御方法に係り、電源状態制御手段が、前記短距離通信部の電源のオン／オフ状態を、当該携帯ＰＯＳ装置の姿勢に基づいて制御する電源状態制御処理を行うことを特徴としている。
【発明の効果】
【００１７】
この発明の構成によれば、照光部の輝度を携帯ＰＯＳ装置の姿勢及びキー入力部の使用頻度に基づいて調整でき、消費電力を低減できる。また、短距離通信部の電源のオン／オフ状態を携帯ＰＯＳ装置の姿勢に基づいて制御でき、消費電力を低減できる。
【図面の簡単な説明】
【００１８】
【図１】この発明の実施形態である携帯ＰＯＳ装置の要部の構成を示すブロック図である。
【図２】図１中のメモリ１１の構成の一部を示す輝度情報記憶手段及び使用頻度情報管理手段の構成図である。
【図３】図１中の図１中のメモリ１１の構成の一部である電源情報記憶手段の構成図である。
【図４】中央制御部１２による輝度調整処理を説明するフローチャートである。
【図５】中央制御部１２による電源状態制御処理を説明するフローチャートである。
【発明を実施するための形態】
【００１９】
上記輝度調整手段が、当該携帯ＰＯＳ装置の姿勢を区画化して各姿勢の区画毎に設定された上記照光部の輝度情報をあらかじめ記憶する輝度情報記憶手段と、当該携帯ＰＯＳ装置の姿勢を測定する姿勢測定手段と、同姿勢測定手段で測定された当該携帯ＰＯＳ装置の現在の姿勢に対応する上記照光部の輝度情報を上記輝度情報記憶手段から読み出し、同輝度情報に基づいて同照光部の輝度を設定する制御手段とから構成されている携帯ＰＯＳ装置を提供する。
【００２０】
また、この発明の好適な形態では、上記キー入力部の一定期間内の使用頻度及び当該携帯ＰＯＳ装置の姿勢毎に設定された上記キー入力部の使用頻度の閾値を管理する使用頻度情報管理手段が設けられ、上記制御手段は、上記使用頻度情報管理手段で管理されている上記キー入力部の一定期間内の使用頻度が上記使用頻度の閾値を超えたとき、上記輝度情報記憶手段に記憶されている輝度情報に対応する輝度を所定の最大値を上限として増加させる一方、上記閾値より小さいとき、上記輝度を所定の最小値を下限として減少させる構成とされている。上記姿勢測定手段は、当該携帯ＰＯＳ装置本体の互いに直交するＸ軸、Ｙ軸及びΖ軸方向の速度の変化を検出することにより姿勢を測定する構成とされている。
【００２１】
上記短距離通信部は、非接触型ＩＣカード又は同非接触型ＩＣカードと同等の機能を有する電子機器が所定の領域内に接近したときに無線接続されるＩＣカード処理装置である。
上記電源状態制御手段は、当該携帯ＰＯＳ装置の姿勢を区画化して各姿勢の区画毎に設定された上記短距離通信部の電源のオン／オフ状態情報をあらかじめ記憶する電源情報記憶手段と、当該携帯ＰＯＳ装置の姿勢を測定する姿勢測定手段と、同姿勢測定手段で測定された当該携帯ＰＯＳ装置の現在の姿勢に対応する上記電源のオン／オフ状態情報を上記電源情報記憶手段から読み出し、同オン／オフ状態情報に基づいて上記短距離通信部の電源のオン／オフ状態を制御する制御手段とから構成されている。
【実施形態】
【００２２】
図１は、この発明の実施形態である携帯ＰＯＳ装置の要部の構成を示すブロック図である。
この携帯ＰＯＳ装置１０は、同図に示すように、メモリ１１と、中央制御部１２と、加速度センサ１３と、表示制御部１４と、入力制御部１５と、磁気カード読取部１６と、短距離通信部１７とから構成されている。加速度センサ１３は、当該携帯ＰＯＳ装置１０本体の互いに直交するＸ軸、Ｙ軸及びΖ軸方向の速度の変化（加速度）を検出することにより現在の姿勢を測定する。表示制御部１４は、図示しない液晶表示部に対する画面表示を行うと共に、特に、この実施形態では、同液晶表示部に対して照光するための照光部（バックライトＢＬ）を有している。
【００２３】
入力制御部１５は、図示しないタッチパネル及びキー入力部に対する操作による入力処理を行い、特に、この実施形態では、同キー入力部に対して照光するための照光部（バックライトＢＬ）を有している。磁気カード読取部１６は、磁気カードの読込み処理を行う。短距離通信部１７は、たとえば、非接触型ＩＣカード又は同非接触型ＩＣカードと同等の機能を有する電子機器（たとえば、非接触型ＩＣカードが内蔵された携帯電話機など）が所定の領域内に接近したときに無線接続されるＩＣカード処理装置である。
【００２４】
メモリ１１は、たとえばＲＯＭ（Read Only Memory）及びＲＡＭ（Random Access Memory）などで構成され、この携帯ＰＯＳ装置１０に対応する所定の業務処理を行うためのアプリケーションプログラムである業務処理プログラムＰ1 、システム管理するためのプログラムであるＯＳ（オペレーティングシステム）Ｐ2 、及び、同携帯ＰＯＳ装置１０の各デバイスを制御するためのプログラムであるデバイスドライバＰ3 を有する他、特に、この実施形態では、当該携帯ＰＯＳ装置１０の姿勢（向き）を区画化して各姿勢の区画毎に設定された上記照光部（バックライトＢＬ）の輝度情報をあらかじめ記憶する輝度情報記憶手段としての機能を有している。また、メモリ１１は、携帯ＰＯＳ装置１０の姿勢を区画化して各姿勢の区画毎に設定された短距離通信部１７の電源のオン／オフ状態情報をあらかじめ記憶する電源情報記憶手段としての機能を有している。
【００２５】
中央制御部１２は、上記業務処理プログラムＰ1 、ＯＳ（オペレーティングシステム）Ｐ2 、及びデバイスドライバＰ3 に基づいて当該携帯ＰＯＳ装置１０全体を制御するコンピュータで構成され、特に、この実施形態では、消費電力制御プログラムに基づいて動作する。また、中央制御部１２は、加速度センサ１３で測定された携帯ＰＯＳ装置１０の現在の姿勢に対応する照光部（バックライトＢＬ）の輝度情報を上記輝度情報記憶手段（メモリ１１）から読み出し、同輝度情報に基づいて同照光部の輝度を設定する。この場合、中央制御部１２は、上記照光部（バックライトＢＬ）の輝度を、携帯ＰＯＳ装置１０の姿勢（向き）及び上記キー入力部の使用頻度に基づいて調整し、たとえば、携帯ＰＯＳ装置１０の姿勢が同キー入力部の使用頻度が高い場合に対応するときに増加（すなわち、明るくなるように調整）する一方、同携帯ＰＯＳ装置１０の姿勢がキー入力部の使用頻度が低い場合に対応するときに減少（すなわち、暗くなるように調整）する。
【００２６】
また、中央制御部１２は、短距離通信部１７の電源のオン／オフ状態を、携帯ＰＯＳ装置１０の姿勢に基づいて制御し、特に、この実施形態では、加速度センサ１３で測定された同携帯ＰＯＳ装置１０の現在の姿勢に対応する上記電源のオン／オフ状態情報を上記電源情報記憶手段（メモリ１１）から読み出し、同オン／オフ状態情報に基づいて短距離通信部１７の電源のオン／オフ状態を制御する。また、この携帯ＰＯＳ装置１０は、図示しないバッテリを電源として動作する。
【００２７】
図２は、図１中のメモリ１１の構成の一部を示す模式図であり、同図（ａ）は輝度情報記憶手段の構成図、及び同図（ｂ），（ｃ）が使用頻度情報管理手段の構成図である。
このメモリ１１は、同図２（ａ）に示すように、輝度情報記憶手段を構成するバッファ２１，２２，２３を有している。バッファ２１では、携帯ＰＯＳ装置１０の姿勢（向き）がテーブルＴ1 ，Ｔ2 ，…，Ｔ256 に区画化されて記憶され、バッファ２２では、各姿勢の区画（テーブルＴ1 ，Ｔ2 ，…，Ｔ256 ）毎に設定された上記照光部（バックライトＢＬ）の輝度情報が記憶されている。また、バッファ２３では、バックライトの輝度の初期値が記憶されている。
【００２８】
また、メモリ１１は、同図２（ｂ）に示すように、使用頻度情報管理手段を構成するバッファ２４を有している。バッファ２４は、キー入力部の一定期間内の使用頻度を記憶するリングバッファで構成され、たとえば、７日間分の入力操作回数が記憶される。また、メモリ１１は、同図２（ｃ）に示すように、使用頻度情報管理手段を構成するバッファ２５を有している。バッファ２５は、携帯ＰＯＳ装置１０の姿勢毎に設定されたキー入力部の使用頻度の閾値を管理し、たとえば７日間合計の入力頻度の閾値が記憶される。この場合、中央制御部１２は、上記使用頻度情報管理手段で管理されている上記キー入力部の一定期間内の使用頻度が、携帯ＰＯＳ装置１０の姿勢毎に設定された使用頻度の閾値を超えたとき、上記輝度情報記憶手段に記憶されている輝度情報に対応する輝度を、所定の最大値を上限として増加させる一方、上記閾値より小さいとき、上記輝度を所定の最小値を下限として減少させる。
【００２９】
図３は、図１中の図１中のメモリ１１の構成の一部である電源情報記憶手段の構成図である。
この電源情報記憶手段は、同図３に示すように、バッファ３１，３２を有している。バッファ３１では、図２中のバッファ２１と同様に、携帯ＰＯＳ装置１０の姿勢（向き）がテーブルＴ1 ，Ｔ2 ，…，Ｔ256 に区画化されて記憶され、バッファ３２では、各姿勢の区画（テーブルＴ1 ，Ｔ2 ，…，Ｔ256 ）毎に設定された短距離通信部１７の電源のオン／オフ状態情報（“ＯＮ”／“ＯＦＦ”）があらかじめ記憶されている。
【００３０】
図４は、中央制御部１２による輝度調整処理を説明するフローチャート、及び、図５が、同中央制御部１２による電源状態制御処理を説明するフローチャートである。
これらの図を参照して、この形態の携帯ＰＯＳ装置１０に用いられる消費電力制御方法の処理内容について説明する。
この携帯ＰＯＳ装置１０では、輝度調整手段（中央制御部１２）により、照光部（バックライトＢＬ）の輝度が、当該携帯ＰＯＳ装置１０の姿勢（向き）及びキー入力部の使用頻度に基づいて調整される（輝度調整処理）。この輝度調整処理では、輝度調整手段（中央制御部１２）により、照光部（バックライトＢＬ）の輝度を、当該携帯ＰＯＳ装置１０の姿勢がキー入力部の使用頻度が高い場合に対応するときに増加（明るくなるように調整）させる一方、当該携帯ＰＯＳ装置１０の姿勢が同キー入力部の使用頻度が低い場合に対応するときに減少（暗くなるように調整）させる。
【００３１】
すなわち、上記輝度調整処理では、メモリ１１により、携帯ＰＯＳ装置１０の姿勢を区画化して各姿勢の区画毎に設定された上記照光部（バックライトＢＬ）の輝度情報があらかじめ記憶される（輝度情報記憶処理）。加速度センサ１３により、携帯ＰＯＳ装置１０の現在の姿勢が測定される（姿勢測定処理）。中央制御部１２により、加速度センサ１３で測定された携帯ＰＯＳ装置１０の姿勢に対応する上記照光部（バックライトＢＬ）の輝度情報がメモリ１１（輝度情報記憶手段）から読み出され、同輝度情報に基づいて照光部（バックライトＢＬ）の輝度が設定される（制御処理）。また、バッファ２４により、キー入力部の一定期間内の使用頻度が管理され、バッファ２５により、携帯ＰＯＳ装置１０の姿勢毎に設定された同キー入力部の使用頻度の閾値を管理される。そして、バッファ２４で管理されているキー入力部の一定期間内の使用頻度が、バッファ２５で管理されている上記使用頻度の閾値を超えたとき、中央制御部１２により、メモリ１１に記憶されている輝度情報に対応する輝度を増加させる一方、同閾値より小さいとき、同輝度を減少させる。
【００３２】
また、中央制御部１２により、短距離通信部１７の電源のオン／オフ状態が、携帯ＰＯＳ装置１０の姿勢に基づいて制御される（電源状態制御処理）。この電源状態制御処理では、メモリ１１により、携帯ＰＯＳ装置１０の姿勢を区画化して各姿勢の区画毎に設定された短距離通信部１７の電源のオン／オフ状態情報があらかじめ記憶される（電源情報記憶処理）。加速度センサ１３により、携帯ＰＯＳ装置１０の現在の姿勢が測定される（姿勢測定処理）。中央制御部１２により、加速度センサ１３で測定された携帯ＰＯＳ装置１０の現在の姿勢に対応する電源のオン／オフ状態情報がメモリ１１から読み出され、同オン／オフ状態情報に基づいて短距離通信部１７の電源のオン／オフ状態が制御される（制御処理）。
【００３３】
すなわち、輝度調整処理では、たとえば図４に示すように、イベントを処理するタスク（ステップＡ１）で、たとえば、携帯ＰＯＳ装置１０の姿勢が変化する、キー入力部が操作される、タイマー割込みが発生するなどのイベントの発生の待ち状態となり、いずれかのイベントが発生したとき、待ち状態からプログラム実行状態に移行する。中央制御部１２により、加速度センサ１３から携帯ＰＯＳ装置１０の現在の向きの情報が読み込まれる（ステップＡ２）。中央制御部１２により、読み込んだ情報とバッファ２１のテーブルに登録されている装置向きの範囲とが比較され、現在の装置向きに該当するテーブルが検索される（ステップＡ３）。装置向きに変化があった場合（ステップＡ４）、中央制御部１２により、ステップＡ３で検索されたテーブル（バッファ２２）に格納されているバックライト輝度が読み込まれ、バックライトＢＬの輝度の設定が行われ（ステップＡ４ａ）、さらに、バックライトのオン状態を監視するタイマーがリセットされ、タイマー割込みが設定される（ステップＡ４ｂ）。
【００３４】
キー入力が発生した場合（ステップＡ５）、中央制御部１２により、ステップＡ３で検索されたテーブル（バッファ２２）に格納されているバックライト輝度の値が一段階アップされる（ステップＡ５ａ）。ただし、既にバックライト輝度が最大値に設定されている場合は、そのままとする。そして、中央制御部１２により、バッファ２４の入力回数がアップされ（ステップＡ５ｂ）、さらに、バックライトのオン状態を監視するタイマー割込みがリセットされ、タイマー割込みが再設定される（ステップＡ５ｃ）。タイマーイベントが発生した場合（ステップＡ６）、中央制御部１２により、バックライトがオフ状態（ＯＦＦ）に設定され（ステップＡ６ａ）、タイマー割込みが停止状態とされる（ステップＡ６ｂ）。
【００３５】
中央制御部１２では、１日の中の決められた時刻（たとえば午前０：００）に割込みが入り、過去７日間の入力頻度が調べられ、。バッファ２４は、リングバッファとして使用され、７日間のデータが記録される。７日間の入力回数が合計され、バッファ２５の入力頻度閾値よりも小さければ（ステップＡ７）、バッファ２３のバックライト輝度の初期値がバッファ２２のバックライトテーブルにコピーされ、輝度値が初期化される（ステップＡ７ａ）。バッファ２３のバックライト輝度の初期値は、あらかじめ使用頻度が高いと想定される装置向きをバックライトのオン状態、及び、使用頻度が低いと想定される装置向きバックライトのオフ状態に設定しておく。また、７日間の入力回数がバッファ２５の入力頻度閾値よりも大きければ（ステップＡ７）、ステップＡ１に戻る。
【００３６】
また、電源状態制御処理では、たとえば図５に示すように、加速度センサ１３による装置向きを測定するタスク（ステップＢ１）、及び、短距離通信部１７を制御するタスク（ステップＢ４）がある。上記ステップＢ１に続き、中央制御部１２では、加速度センサ１３の値から装置の向きが測定される（ステップＢ２）。中央制御部１２では、測定された装置の向きがバッファ３１のどのテーブルの範囲に入っているかが検索され（ステップＢ３）、検索された該当テーブル（バッファ３２）の電源状態（電源制御指示）は、短距離通信部制御タスクへ通知される（ステップＢ４）。短距離通信部制御タスクでは、電源オフが通知されたときに短距離通信部１７の電源がオフ状態とされる一方、電源オンが通知されたときに同短距離通信部１７の電源がオン状態とされる（ステップＢ５）。これにより、携帯ＰＯＳ装置１０をＩＣカードに対してかざす向きに基づいて、短距離通信部１７が電源制御され、省電力化が行われる。
【００３７】
以上のように、この実施形態では、中央制御部１２により、照光部（バックライトＢＬ）の輝度を、当該携帯ＰＯＳ装置１０の姿勢がキー入力部の使用頻度が高い場合に対応するときに増加させる一方、当該携帯ＰＯＳ装置１０の姿勢が同キー入力部の使用頻度が低い場合に対応するときに減少させるので、消費電力が低減される。たとえば、タッチパネルやキー入力部は、ユーザが画面を見ながら操作するものであり、画面を見やすい向きに向けて操作することになるが、その向きは操作性や画面の視野角があり、限られてくる。この場合、画面操作以外の向きでバックライトＢＬを暗くすることにより、省電力化を図ることができる。また、ユーザが入力処理を中断後、すぐに入力処理を続ける場合、使用頻度の高い装置向きにしたときに自動でバックライトＢＬを点灯させることができる。たとえば、電力計などの検針業務では、ユーザがメータ確認のために入力処理を中断し、確認後に入力を続けるときにバックライトＢＬが点灯するため、画面が見やすくなる。また、メータの確認中、携帯ＰＯＳ装置１０を肩からかけて装置向きを変えると、バックライトＢＬが消灯するので、省電力化を図ることができる。また、中央制御部１２により、短距離通信部１７の電源のオン／オフ状態が、携帯ＰＯＳ装置１０の姿勢に基づいて制御されるので、消費電力が低減される。
【００３８】
以上、この発明の実施形態を図面により詳述してきたが、具体的な構成は同実施形態に限られるものではなく、この発明の要旨を逸脱しない範囲の設計の変更などがあっても、この発明に含まれる。
たとえば、図２（ｂ）のバッファ２４に入力回数が記録される日数は、７日間に限定されない。また、入力回数が記録される日数を指定する機能が設けられていても良い。
短距離通信部１７は、ＩＣカード処理装置に限定されず、たとえばBluetooth など、短距離通信の機能を有するものであれば良い。
【産業上の利用可能性】
【００３９】
この発明は、たとえば、小売、ルートセールス、倉庫・物流、製造、公共、医療などの各分野で用いられる携帯ＰＯＳ装置全般に適用できる。
【符号の説明】
【００４０】
１０      携帯ＰＯＳ装置
１１      メモリ（輝度情報記憶手段、使用頻度情報管理手段、電源情報記憶手段）
１２      中央制御部（輝度調整手段、制御手段、電源状態制御手段）
１３      加速度センサ（姿勢測定手段）
１４      表示制御部（照光部の一部）
１５      入力制御部（照光部の一部）
１７      短距離通信部（ＩＣカード処理装置）
【図１】
2010262608.tif 000003
【図２】
2010262608.tif 000004
【図３】
2010262608.tif 000005
【図４】
2010262608.tif 000006
【図５】
2010262608.tif 000007